(57)【要約】【課題】軽くて落下時にも安全な難燃性紙を用いた照明用フィルタホルダおよび演出用照明器具を提供することである。【解決手段】ランプの光を透過し色を演出するためのフィルタを中央部の開口部で露出して挟持しバインダー状に形成されたホルダ本体は、パルプ材に重量比が４０％〜７０％の水酸化アルミニウムを含有させて形成する。これにより、難燃性および照明用フィルタ装脱着作業性を満たし、しかも重量が軽く落下した場合の危険も少ない照明用フィルタホルダを得る。【選択図】  図１
2004362941.tif 000002
【特許請求の範囲】
【請求項１】
ランプの光を透過し色を演出するためのフィルタを挟持するバインダー状に形成されたホルダ本体と；
前記ホルダ本体の中央部に設けられ前記挟持したフィルタを露出する開口部とを備え；
前記ホルダ本体は、パルプ材に重量比が４０％〜７０％の水酸化アルミニウムを含有させて形成されたことを特徴とする照明用フィルタホルダ。
【請求項２】
バインダー状に形成された前記ホルダ本体の開閉部を保持し前記フィルタが離脱するのを防止する保持具とを備えたことを特徴とする請求項１記載の照明用フィルタホルダ。
【請求項３】
前記ホルダ本体が撓むのを防止する補強部材を前記ホルダ本体の一部に設けたことを特徴とする請求項１又は２記載の照明用フィルタホルダ。
【請求項４】
請求項１ないし３のいずれか一記載の照明用フィルタホルダと；
前記照明用フィルタホルダの背面にランプを保持し前記ランプを点灯する演出照明器具本体とを備えたことを特徴とする演出照明器具。
【発明の詳細な説明】
【０００１】
【発明の属する技術分野】本発明は、劇場やスタジオ等のホールを演出照明する演出照明器具に係り、特に、ランプの色を演出するためのフィルタを保持する照明用フィルタホルダおよび演出照明器具に関する。
【０００２】
【従来の技術】劇場の舞台やスタジオの照明の演出は、演出照明器具の色や調光で行われる。演出照明器具の前面には照明用フィルタが設けられ、この照明用フィルタの色によりその色の照明光が照射される。照明用フィルタは金属製の照明用フィルタホルダで保持され、演出照明器具のランプの前面に設けられたホルダ枠に挿入されて、ランプからの照射光を照明用フィルタの色に変換して照射される。このような演出照明器具としては、ホルダ枠を演出照明器具本体に一体的に形成し、製造コストを低減すると共に発光特性を改善したものがある（例えば、特許文献１参照）。
【０００３】
【特許文献１】
特開２０００−１９５３１４号公報（図１、図２）
【０００４】
【発明が解決しようとする課題】
しかしながら、照明用フィルタホルダは金属製であるため、耐熱性はあるが落下すると危険性が高く、また、運搬においても重いという欠点がある。このことから、市場のニーズとして、軽くて落下時にも安全な紙製フィルタホルダの要請がある。紙は高温になると燃えるため難燃性紙の開発が必要である。難燃性紙それ自体はすでに開発されているが、照明用フィルタホルダに適合させたものは見当たらない。
【０００５】
本発明の目的は、軽くて落下時にも安全な難燃性紙を用いた照明用フィルタホルダおよび演出用照明器具を提供することである。
【０００６】
【課題を解決するための手段】請求項１の発明に係る照明用フィルタホルダは、ランプの光を透過し色を演出するためのフィルタを挟持するバインダー状に形成されたホルダ本体と；前記ホルダ本体の中央部に設けられ前記挟持したフィルタを露出する開口部とを備え；前記ホルダ本体は、パルプ材に重量比が４０％〜７０％の水酸化アルミニウムを含有させて形成されたことを特徴とする。
【０００７】
本発明および以下の発明において、特に指定しない限り用語の定義および技術的意味は以下による。照明用フィルタホルダは照明用フィルタを保持し、劇場やスタジオ等のホールを演出照明する演出照明器具のランプの前面に設けられたホルダ枠に挿入されて、ランプからの照射光を照明用フィルタの色に変換して照射するものである。照明用フィルタホルダは、ホルダ本体とその中央部に設けられた開口部とから形成され、ホルダ本体はバインダー状に形成される。ホルダ本体に半切加工部を形成し、この半切加工部を背にして開閉できるようにしており、ホルダ本体内にフィルタを挟み込む。これにより、ランプの光を透過し色を演出するためのフィルタを挟持し、開口部は挟持されたフィルタを介してランプからの光を透過する。
【０００８】
また、ホルダ本体はパルプ材に重量比が４０％〜７０％の水酸化アルミニウムを含有させて形成される。すなわち、紙素材であるパルプ材に難燃剤として水酸化アルミニウムを２０％〜８０％含有させてホルダ本体を形成し、難燃性と照明用フィルタ装脱着作業性との試験を行った結果、水酸化アルミニウムの含有量が重量比で６０％程度のときに、難燃性と難燃性と照明用フィルタ装脱着作業性とが照明用フィルタホルダとして最適のものが形成されることが知見できた。水酸化アルミニウムの含有量を増加させると照明用フィルタホルダの剛性が低下し、撓みやすくなり、照明用フィルタ装脱着作業性が低下し、水酸化アルミニウムの含有量を減少させると難燃性が低下する特性であり、実用的な照明用フィルタホルダとしては、水酸化アルミニウムの成分重量比が４０％未満では難燃性が不足気味であり、水酸化アルミニウムの成分重量比が７０％を超える場合には照明用フィルタ装脱着作業性が不足気味であることが判明した。そこで、本発明では水酸化アルミニウムの成分重量比を４０％〜７０％とする。なお、水酸化アルミニウムは高温加熱時に分解して吸熱作用により難燃化効果を示す。
【０００９】
本発明に係る照明用フィルタホルダの厚さは、０．５〜３．０ｍｍとするのが好ましい。その厚さが０．５ｍｍ未満では十分な照明フィルタ装脱着作業性を確保しにくくなる場合があり、その厚さが３．０ｍｍを超えた場合は打ち抜き加工等を施しにくくなることがある。
【００１０】
本発明によれば、紙素材であるパルプ材に難燃剤である水酸化アルミニウムを重量比が４０％〜７０％含有させたので、難燃性および照明用フィルタ装脱着作業性を満たし、しかも重量が軽く落下した場合の危険も少ない照明用フィルタホルダを得ることができる。また、エコロジーを意識した紙素材であるので、加工及び連続加工が容易であり、金属製のものに比較し価格が安くでき、軽量（金属製のものに比べ重量が約１／５）であるので落下したときにも危険が少ない。
【００１１】
請求項２の発明に係る照明用フィルタホルダは、請求項１の発明において、バインダー状に形成された前記ホルダ本体の開閉部を保持し前記フィルタが離脱するのを防止する保持具とを備えたことを特徴とする。
【００１２】
本発明は、バインダー状のホルダ本体の半切加工部を背にして開閉し、ホルダ本体内にフィルタを挟み込んだ後に、ホルダ本体の半切加工部と反対側の開閉部を保持具で保持し、フィルタがホルダ本体から離脱するのを防止するようにしたものである。
【００１３】
本発明によれば、請求項１の発明の効果に加え、フィルタの取り付けの際に開閉動作するバインダー状のホルダ本体の開閉部を保持具で保持するので、フィルタがホルダ本体から離脱することがなく適正にフィルタを保持できる。
【００１４】
請求項３の発明に係る照明用フィルタホルダは、請求項１又は請求項２の発明において、前記ホルダ本体が撓むのを防止する補強部材を前記ホルダ本体の一部に設けたことを特徴とする。
【００１５】
本発明は、ホルダ本体の照明用フィルタ装脱着作業性が不足する場合に補強部材によりホルダ本体が撓むのを防止するようにしたものである。補強部材はホルダ本体と同じ材質ものを用いるのが望ましい。本発明によれば、請求項１又は２の発明の効果に加え、補強部材によりホルダ本体を補強するので、難燃剤である水酸化アルミニウムの含有量を多くすることができ難燃性を高めることができる。
【００１６】
請求項４の発明に係る演出照明器具は、請求項１ないし３のいずれか一記載の照明用フィルタホルダと；前記照明用フィルタホルダの背面にランプを保持し前記ランプを点灯する演出照明器具本体とを備えたことを特徴とする。本発明によれば、請求項１ないし３の効果を有する演出照明器具を得ることができる。
【００１７】
【発明の実施の形態】（第１の実施の形態）図１は、本発明の第１の実施の形態に係る照明用フィルタホルダの斜視図である。照明用フィルタホルダ１１は、バインダー状に形成されたホルダ本体１２と、ホルダ本体１２の中央部に設けられた開口部１３とから構成される。ホルダ本体１２には半切加工部１４が形成され、この半切加工部１４で折り返してバインダー状に形成される。すなわち、半切加工部１４を背にして開閉可能となっており、半切加工部１４の反対側の開閉部１５からホルダ本体１２内に図示省略のフィルタを挟み込む。フィルタとしては、例えば、赤、青、緑等の有彩色の色フィルタが用いられる。
【００１８】
また、開口部１３は、折り返したホルダ本体１２の双方に対面して設けられ、ホルダ本体１２がフィルタを挟持したとき、この開口部１３はフィルタをそのまま露出する。これにより、フィルタはランプの光を透過しフィルタの色を演出することになる。
【００１９】
ホルダ本体１２の開閉部１５には、挟み込んだフィルタが離脱するのを防止するための保持具１６が取り付けられており、バインダー状のホルダ本体１２を閉じたときに開閉部１５が開かないように保持する。図１では、保持具１６として磁石とスチールペーパを用いた場合を示している。磁石とスチールペーパとを対面させ、磁力により折り返したホルダ本体１２をフィルタを挟んで密着させる。
【００２０】
次に、ホルダ本体１２の材質について説明する。ホルダ本体１２は紙素材のパルプ材を基材とし、そのパルプ材に重量比が４０％〜７０％の水酸化アルミニウムを含有させて形成される。
【００２１】
すなわち、紙素材であるパルプ材に難燃剤として水酸化アルミニウムを２０〜８０％含有させてホルダ本体１２を形成し、難燃性と照明用フィルタ装脱着作業性との試験を行った。図２は、水酸化アルミニウムの含有量を２０〜８０％に変化させたときの難燃性と照明用フィルタ装脱着作業性との試験結果の特性図である。図２に示すように、水酸化アルミニウムの含有量を増加させると照明用フィルタ装脱着作業性が低下し、水酸化アルミニウムの含有量を減少させると難燃性が低下する特性であり、水酸化アルミニウムの含有量が重量比で６０％程度のときに、難燃性と照明用フィルタ装脱着作業性との特性曲線が交差し、そのときが照明用フィルタホルダとして最適のものであるという試験結果が得られた。
【００２２】
次に、パルプ材に重量比で６０％の水酸化アルミニウムを含有したホルダ本体（秤量２１００ｇ／ｍ２、厚さ１．８ｍｍ）の難燃性の試験結果について説明する。４５°メツケルバーナー法による残炎時間、炭化面積の試験結果として、２分間加熱した場合の残炎時間は０秒（合格基準５秒以下）、炭化面積は１０〜１５ｃｍ２（合格基準４０ｃｍ２）であり、いずれも消防法施行規則第４条の３第３項の規定の防炎合格基準を満たしている。照明用フィルタホルダは消防法に規定の防炎防火対象物ではないので、防炎合格基準を満たすことは条件とされないが、十分に難燃性があることが判明した。
【００２３】
また、実用的な照明用フィルタホルダとしては、水酸化アルミニウムの成分重量比が４０％未満では難燃性が不足気味であり、水酸化アルミニウムの成分重量比が７０％を超える場合には照明用フィルタ装脱着作業性が不足気味であることが判明した。そこで、本発明では、ホルダ本体１２の材質として水酸化アルミニウムの成分重量比を４０％〜７０％とする。
【００２４】
ここで、以上の説明では保持具１６として磁石を使用した場合について説明したが、保持具１６としてマジックテープ（登録商標）やクリップを用いるようにしても良い。クリップを用いる場合には、ホルダ本体１２を開く場合にはクリップをホルダ本体１２から離脱しなければならないので、離脱した際にクリップが落下して紛失してしまうことがあるので、図３に示すように、クリップをホルダ本体にリベットで固定するようにしても良い。
【００２５】
図３は、ホルダ本体１２にクリップ１７をリベット１８で固定した場合の説明図であり、図３（ａ）は一部切り欠き上面図、図３（ｂ）は一部切り欠き左側面図、図３（ｃ）は一部切り欠き右側面図である。図３（ａ）に示すように、クリップ１７の一方をリベット１８でホルダ本体１２に固定し、図３（ｂ）に示すように、このリベット１８を中心にしてクリップ１７を回動させる。この場合、図３（ｃ）に示すように、クリップ１７を所定角度以上に回動させた位置でリベット１８の反対側のホルダ本体１２がクリップ１７から離脱するようにクリップ１７に切り欠き部を設けておく。
【００２６】
また、図４に示すように保持部１６を形成しても良い。すなわち、ホルダ本体１２の一方に切り欠き部１９を設け、対面する他方のホルダ本体１２に切り込み片２０を形成し、ホルダ本体１２を閉じた状態で切り込み片２０を切り欠き部１９に挿入して保持する。この場合、切り込み片２０はホルダ本体１２に挟持されたフィルタごと切り欠き部１９に挿入して保持することになる。
【００２７】
次に、難燃性を重視して水酸化アルミニウムの成分重量比を７０％に近づけると照明用フィルタ装脱着作業性が不足することになるので、その場合には、補強部材をホルダ本体の一部に設けて補強しホルダ本体が撓むのを防止する。図５はホルダ本体１２の表面に棒状の補強部材２１を設けた場合を示している。補強部材２１はリベット１８でホルダ本体１２に固定される。また、図６に示すように、円形の開口部１３に対し円環状の補強部材２１を用意し、開口部１３の周囲にかしめで取り付ける。なお、開口部１３が四角形である場合には四角形の補強部材２１を用いることは言うまでもない。
【００２８】
第１の実施の形態によれば、紙素材であるパルプ材に難燃剤である水酸化アルミニウムを重量比が４０％〜７０％含有させるので、難燃性および照明用フィルタ装脱着作業性を満たし、しかも重量が軽く落下した場合の危険も少ない照明用フィルタホルダを得ることができる。また、照明用フィルタホルダはエコロジーを意識した紙素材であるので、加工及び連続加工が容易であり、金属製のものに比較し価格が安くでき、軽量（金属製に比べ重量が約１／５）であるので落下したときにも危険が少ない。
【００２９】
さらに、ホルダ本体の開閉部を保持具で保持するので、フィルタがホルダ本体から離脱することを防止でき、ホルダ本体の照明用フィルタ装脱着作業性が不足する場合には補強部材でホルダ本体を補強するので、ホルダ本体が撓むのを防止できる。
【００３０】
（第２の実施の形態）
図７は本発明の第２の実施の形態に係る演出照明器具の斜視図である。演出照明器具本体２２内部にはランプ２３が収納されており、そのランプの前面に第１の実施の形態の照明用フィルタホルダ１１が装着される。照明用フィルタホルダ１１はホルダ枠２４に挿入されて装着される。ホルダ枠２４には照明用フィルタホルダ１１の開口部１３に対応して開口部が設けられ、この開口部から照明用フィルタホルダ１１を通過してきたランプからの照射光を外部に照射する。
【００３１】
ホルダ枠２４に装着される照明用フィルタホルダ１１は基材が紙素材で難燃性を有したものであることから、ホルダ枠２４に装着する際に誤って落下させたとしても重量が軽いので落下による危険が少ない。
【００３２】
【発明の効果】請求項１の発明によれば、紙素材であるパルプ材に難燃剤である水酸化アルミニウムを重量比が４０％〜７０％含有させたので、難燃性および照明用フィルタ装脱着作業性を満たし、しかも重量が軽く落下した場合の危険も少ない照明用フィルタホルダを得ることができる。また、エコロジーを意識した紙素材であるので、加工及び連続加工が容易であり、金属製のものに比較し価格が安くでき、軽量（金属製に比べ重量が約１／５）であるので落下したときにも危険が少ない。
【００３３】
請求項２の発明によれば、請求項１の発明の効果に加え、フィルタの取り付けの際に開閉動作するバインダー状のホルダ本体の開閉部を保持具で保持するので、フィルタがホルダ本体から離脱することがなく適正にフィルタを保持できる。
【００３４】
請求項３の発明によれば、請求項１又は２の発明の効果に加え、補強部材によりホルダ本体を補強するので、難燃剤である水酸化アルミニウムの含有量を多くすることができ難燃性を高めることができる。請求項４の発明によれば、請求項１ないし３の効果を有する演出照明器具を得ることができる。
【図面の簡単な説明】
【図１】本発明の第１の実施の形態に係る照明用フィルタホルダの斜視図。
【図２】本発明の第１の実施の形態における照明用フィルタホルダのホルダ本体の水酸化アルミニウムの含有量を２０〜８０％に変化させたときの難燃性と照明用フィルタ装脱着作業性との試験結果の特性図。
【図３】本発明の第１の実施の形態における保持具の一例の説明図。
【図４】本発明の第１の実施の形態における保持具の他の一例の説明図。
【図５】本発明の第１の実施の形態における補強部材の一例の説明図。
【図６】本発明の第１の実施の形態における補強部材の他の一例の説明図。
【図７】本発明の第２の実施の形態に係る演出用照明器具の斜視図。
【符号の説明】
１１…照明用フィルタホルダ、１２…ホルダ本体、１３…開口部、１４…半切加工部、１５…開閉部、１６…保持具、１７…クリップ、１８…リベット、１９…切り欠き部、２０…切り込み片、２１…補強部材、２２…演出照明器具本体、２３…ランプ、２４…ホルダ枠
【図１】
2004362941.tif 000003
【図２】
2004362941.tif 000004
【図３】
2004362941.tif 000005
【図４】
2004362941.tif 000006
【図５】
2004362941.tif 000007
【図６】
2004362941.tif 000008
【図７】
2004362941.tif 000009